(57)【要約】【課題】  簡単に打撃部材を装着又は交換することができる遊技球発射装置及び弾球遊技機を提供する。【解決手段】  遊技球に打撃を加えて発射する遊技球発射装置１０は、ハンマ４１と、当該ハンマ４１を遊技球に向かって回動させるステッピングモータ２１と、を備え、前記ハンマ４１は、前記ステッピングモータ２１に取り付けられたハンマ本体４０１と、当該ハンマ本体４０１から回転方向に沿って延出する先端部４０２と、当該先端部４０２を覆いかつブタジエンゴムで形成された打撃部材６１と、を有し、前記先端部４０２の基端側には、回転方向に交差する方向に沿って溝４０３が設けられ、前記打撃部材６１には、前記先端部４０２の溝４０３に係止する係止片６０２が設けられていることを特徴とする。【選択図】        図６
2005318942.tif 000002
【特許請求の範囲】
【請求項１】
遊技球に打撃を加えて発射する遊技球発射装置（１０）であって、
ハンマ（４１）と、当該ハンマ（４１）を遊技球に向かって前進させる駆動機構（２１）と、を備え、
前記ハンマ（４１）は、前記駆動機構（２１）に取り付けられたハンマ本体（４０１）と、当該ハンマ本体（４０１）から前進方向に沿って延出する先端部（４０２）と、当該先端部（４０２）を覆いかつ弾性材で形成された打撃部材（６１）と、を有し、
前記先端部（４０２）の基端側には、前進方向に交差する方向に沿って溝（４０３）が設けられ、
前記打撃部材（６１）には、前記溝（４０３）に係止する係止片（６０２）が設けられていることを特徴とする遊技球発射装置（１０）。
【請求項２】
前記先端部（４０２）は、先端に向かうに従って細くなる形状をしており、
前記溝（４０３）は、外周方向に沿って一周していることを特徴とする請求項１に記載の遊技球発射装置（１０）。
【請求項３】
前記駆動機構（２１）は、前記ハンマ（４１）を回動させるステッピングモータ（２１）であり、
前記ハンマ（４１）は、前記ステッピングモータ（２１）の回転軸（３１）に設けられ、
前記ステッピングモータ（２１）の励磁周波数を変化させることによって、前記ハンマ（４１）の回転速度を制御することを特徴とする請求項１又は２に記載の遊技球発射装置（１０）。
【請求項４】
前記打撃部材（６１）は、ブタジエンゴムからなることを特徴とする請求項１から３のいずれかに記載の遊技球発射装置（１０）。
【請求項５】
請求項１から４のいずれかに記載の遊技球発射装置（１０）を備えたことを特徴とする弾球遊技機（１）。
【発明の詳細な説明】
【技術分野】
【０００１】
本発明は、遊技球発射装置及び弾球遊技機に関するものである。
【背景技術】
【０００２】
パチンコ機やアレンジボール式パチンコ機等の弾球遊技機は、遊技球を打撃して遊技盤に向けて発射する遊技球発射装置を備えている。この遊技球発射装置は、様々な方式が提案されている。例えば、遊技球に当接するハンマをモータ等によって回動させ、回転方向の前進時にハンマの先端部に装着された打撃部材で遊技球を打撃する方式あるいは直線的に往復するハンマをプランジャ式のソレノイドなどによって往復駆動し、前進時にハンマの先端部に装着された打撃部材で遊技球を打撃する方式である。
【０００３】
上記した両方式とも、打撃部材が遊技球に衝突して、ハンマの運動エネルギーが遊技球に伝達され、遊技球が遊技盤に向かって発射される。このような打撃部材は、遊技球の飛距離を得るために、弾力性のあるスプリングやゴムなどで形成される（例えば、特許文献１参照。）。
【０００４】
一方、遊技球打撃時の強い衝撃によって、打撃部材はハンマの先端部から脱離するおそれがある。従って、打撃部材をハンマの先端部にしっかり装着させる加工工程が必要となる。例えば、スプリングからなる打撃部材をハンマの先端部にしっかり装着させるには、スプリングをハンマの先端部に圧入又は焼付けなどして固定する工程が必要となる。また、ゴムを材料とする打撃部材の場合も、簡単に脱離しないように接着剤などでハンマの先端部に接着する工程が必要となる。
【特許文献１】特開２００２−１４３４１３号公報
【発明の開示】
【発明が解決しようとする課題】
【０００５】
しかし、打撃部材をハンマの先端部にしっかり装着させる加工工程は、専門工具の準備や加工技術を習得した作業員を確保する等の煩わしさがあるため、ハンマの先端部に簡単に装着できる打撃部材の登場が待たれていた。
【０００６】
また、遊技球と衝突を繰り返す打撃部材は、徐々に先端から磨耗してくるため、打撃部材の交換が必要となる場合がある。しかし、上述したように、打撃部材がハンマの先端部から容易に取り外しできないように加工が施されているため、遊技場の管理者にとって、打撃部材の交換作業は大変な負担となっていた。
【０００７】
本発明は、上述したような課題に鑑みてなされたものであり、簡単に打撃部材を装着又は交換することができる遊技球発射装置及び弾球遊技機を提供することを目的とする。
【課題を解決するための手段】
【０００８】
以上の目的を達成するために、本発明は、以下のようなものを提供する。
【０００９】
（１）  遊技球に打撃を加えて発射する遊技球発射装置１０であって、ハンマ４１と、当該ハンマ４１を遊技球に向かって前進させる駆動機構２１と、を備え、前記ハンマ４１は、前記駆動機構２１に取り付けられたハンマ本体４０１と、当該ハンマ本体４０１から前進方向に沿って延出する先端部４０２と、当該先端部４０２を覆いかつ弾性材で形成された打撃部材６１と、を有し、前記先端部４０２の基端側には、前進方向に交差する方向に沿って溝４０３が設けられ、前記打撃部材６１には、前記溝４０３に係止する係止片６０２が設けられていることを特徴とする遊技球発射装置１０。
【００１０】
本発明は、駆動機構２１が前進方向に駆動することにより、ハンマ４１が駆動する。すると、ハンマ４１の先端部４０２は、前進方向に沿って駆動する。これにより、ハンマは、弾性材で形成される打撃部材６１によって遊技球に打撃を加えて、遊技球を発射する。一方、先端部４０２の基端部に設けられた溝４０３に、打撃部材６１に設けられた係止片６０２が係止している。
【００１１】
（１）に記載の発明によれば、打撃部材６１を弾性材で形成しているので、打撃部材６１の形状を変化させることによって、容易に打撃部材６１を脱着させることができる。従って、打撃部材６１の装着が容易となる。また、打撃部材６１の交換も容易にすることができる。このため、遊技場の管理者による機器メンテナンスの負担を減少することができる。
【００１２】
また、前進方向に交差する方向に沿って、先端部４０２の基端部に溝４０３を設け、更に、この溝４０３に係止する係止片６０２を打撃部材６１に設けたので、遊技球が発射される方向に打撃部材６１が脱離することを防止している。従って、駆動機構２１の駆動中に打撃部材６１が脱離することはなく、実用面においても有効な打撃部材６１を提供することができる。
【００１３】
（２）  前記先端部４０２は、先端に向かうに従って細くなる形状をしており、前記溝４０３は、外周方向に沿って一周していることを特徴とする（１）に記載の遊技球発射装置１０。
【００１４】
（２）に記載の発明によれば、先端部４０２の基端部に設けられた溝４０３が外周方向に沿って一周しているので、打撃部材６１に設けられた係止片６０２と溝４０３の係止部分がより拡張されることになる。従って、遊技球が発射される方向に打撃部材６１が脱離することをより一層防止することができる。また、先端部４０２は、先端に向かうに従って細くなる形状をしているので、先端に向かうに従って広くなる形状の打撃部材に比べて、打撃部材６１の装着が容易である。従って、打撃部材６１を容易に装着又は交換可能である。
【００１５】
（３）  前記駆動機構２１は、前記ハンマ４１を回動させるステッピングモータ２１であり、前記ハンマ４１は、前記ステッピングモータ２１の回転軸３１に設けられ、前記ステッピングモータ２１の励磁周波数を変化させることによって、前記ハンマ４１の回転速度を制御することを特徴とする請求項１又は２に記載の遊技球発射装置１０。
【００１６】
（３）に記載の発明によれば、打撃部材６１を弾性材で形成したので、打撃部材６１を弾性材で形成していない場合よりも、遊技球の飛距離を伸ばすことができる。従って、駆動機構２１としてステッピングモータ２１を採用している本発明では、ステッピングモータ２１のトルクが小さい場合であっても、遊技球を遠くに発射させることが可能であるので、ステッピングモータ２１の消費電力を低減できる。
【００１７】
（４）  前記打撃部材６１は、ブタジエンゴムからなることを特徴とする（１）から（３）のいずれかに記載の遊技球発射装置１０。
【００１８】
（４）に記載の発明によれば、耐摩耗性に優れているブタジエンゴムからなる打撃部材６１を備えているので、打撃部材６１を長期的に使用しても摩耗による劣化を防止することができる。従って、打撃部材６１の交換頻度を低くすることができるため、管理者による機器メンテナンスの負担を減少することができる。また、ブタジエンゴムは反発弾性にも優れているため、ブタジエンゴムを打撃部材６１に使用することによって、遊技球の飛距離を一層伸ばすことができる。従って、駆動機構２１の消費電力を一層低減することができる。
【００１９】
（５）  （１）から（４）のいずれかに記載の遊技球発射装置１０を備えたことを特徴とする弾球遊技機１。
【００２０】
（５）に記載の発明によれば、（１）から（４）に記載の発明と同様の効果が得られる弾球遊技機１を提供することができる。
【発明の効果】
【００２１】
本発明によれば、打撃部材６１を弾性材で形成しているので、打撃部材６１の形状を変化させることによって、容易に打撃部材６１を脱着させることができる。従って、打撃部材６１の装着が容易となる。また、打撃部材６１の交換も容易にすることができる。このため、遊技場の管理者による機器メンテナンスの負担を減少することができる。
【００２２】
また、前進方向に交差する方向に沿って、先端部４０２の基端部に溝４０３を設け、更に、この溝４０３に係止する係止片６０２を打撃部材６１に設けたので、遊技球が発射される方向に打撃部材６１が脱離することを防止している。従って、駆動機構２１の駆動中に打撃部材６１が脱離することはなく、実用面においても有効な打撃部材６１を提供することができる。
【発明を実施するための最良の形態】
【００２３】
以下に、本発明の好適な一実施形態について図面に基づいて説明する。
【００２４】
図１は、本実施形態の弾球遊技機１の正面図、図２は、遊技球発射装置１０の斜視図、図３は、遊技球発射装置１０の正面図である。
【００２５】
図１に示すように、本実施形態の弾球遊技機１の略中央部下方には、遊技球発射装置１０が備えられている。
【００２６】
なお、本実施形態においては、遊技球発射装置１０を弾球遊技機１の略中央部下方に備えているが、本発明はこれに限らず、弾球遊技機１はどの部位に遊技球発射装置１０を備えてもよい。
【００２７】
図１、図２及び図３に示すように、遊技球発射装置１０は、平板状の取付板１１と、取付板１１に設けられたステッピングモータ２１と、取付板１１を垂直に貫通するステッピングモータ２１の回転軸３１と、回転軸３１の端部に連結しているハンマ４１と、取付板１１に設けられている一対のストッパ５１ａ及び５１ｂと、を有している。
【００２８】
ステッピングモータ２１は、ハンマ４１を回転方向（前進方向）に回動させるためのもので、回転軸３１が取付板１１の上面側から突出するように、取付板１１の下面側に取り付けられている。ステッピングモータ２１はその内部に励磁コイル（図示せず）を備えている。遊技者の発射ハンドル７１（図１参照）操作により、励磁コイルに電流が流れ、励磁コイルが励磁されると、回転軸３１が所定の速度で回転することになり、回転軸３１を介して、ハンマ４１が前進方向に回動し、図１に示すように、遊技球を打撃する。なお、ステッピングモータ２１は、所定時間あたりのパルス数に応じて回転速度が制御される。つまり、ステッピングモータ２１は、励磁周波数を変化することによって、回転速度を制御することができる。
【００２９】
なお、本実施形態においては、遊技球発射装置１０の駆動機構としてハンマ４１を回動させるステッピングモータ２１が備えられているが、本発明はこれに限らず、例えば、ロータリーソレノイド、直線往復動ソレノイド（プランジャ式ソレノイド）等の他の駆動機構が備えられていてもよい。
【００３０】
ハンマ４１は、回転軸３１を介して駆動機構であるステッピングモータ２１に取り付けられた略Ｌ字形の板状体からなるハンマ本体４０１と、ハンマ本体４０１から回転方向に沿って延出する先端部４０２と、先端部４０２を覆いかつゴム等の弾性材で形成された打撃部材６１と、を備えており、後退方向（矢印Ａ）及び前進方向（矢印Ｂ）に回動可能である。
【００３１】
このように、打撃部材６１を弾性材で形成しているので、打撃部材６１の形状を変化させることによって、容易に打撃部材６１を脱着させることができる。従って、打撃部材６１の装着が容易となる。また、打撃部材６１の交換も容易にすることができる。このため、遊技場の管理者による機器メンテナンスの負担を減少することができる。
【００３２】
更に、打撃部材６１を弾性材で形成したので、打撃部材６１を弾性材で形成していない場合よりも、遊技球の飛距離を伸ばすことができる。従って、駆動機構２１としてステッピングモータ２１を採用している場合、ステッピングモータ２１のトルクが小さい場合であっても、遊技球を遠くに発射させることが可能であるので、ステッピングモータ２１の消費電力を低減できる。
【００３３】
各ストッパ５１ａ及び５１ｂは、取付板１１上面の対向する辺部にそれぞれ設けられている。一方の辺部に設けられたストッパ５１ａは、遊技球を打撃したハンマ４１のハンマ本体４０１が当接して、ハンマ４１の前進方向への回動を規制し、ハンマ４１に後退方向への弾発力を付与する弾性材である。また、他方の辺部に設けられたストッパ５１ｂは、遊技球を打撃して戻ってきたハンマ４１の後退方向の回動を規制する弾性材である。
【００３４】
一方、ストッパ５１ｂによって後退方向の回動を規制されたハンマ４１は、その後回動を停止する。そして、遊技者によって発射ハンドル７１（図１参照）が操作されると、ステッピングモータ２１の内部にある励磁コイルが励磁され、ハンマ４１のゼロ点調整が行われる。ハンマ４１は、回転軸３１を介してステッピングモータ２１の回転力が伝達され、その回転力によって前進方向に回動する。ハンマ４１がストッパ５１ａに当接する前に励磁コイルへの電流供給は停止するが、ハンマ４１は惰性によって回動し続け、遊技球を打撃し、遊技球は発射されることになる。
【００３５】
なお、本実施形態においては、ステッピングモータ２１の回転力のみによって、ハンマ４１を回動させ、遊技球を打撃しているが、本発明はこれに限らない。例えば、ハンマ４１を前進方向に付勢するばね５１を設け、ステッピングモータ２１の励磁コイルを励磁した場合に、ばね５１のばね力に抗して後退方向にハンマ４１を回動させ、励磁コイルの励磁を切り、張架したばね５１のばね力により遊技球を発射するようにしてもよい。
【００３６】
次に先端部４０２、溝４０３について詳述する。図４は、遊技球発射装置１０のハンマ４１の先端の斜視図であり、図５は、遊技球発射装置１０のハンマ４１の先端の側面図である。図４及び図５に示すように、先端部４０２は、先端に向かうに従って細くなる円錐形状をしている。また、先端部４０２の基端側には、先端部４０２の外周方向に沿って一周する溝４０３が設けられている。
【００３７】
次に、打撃部材６１について詳述する。図６は、遊技球発射装置１０の打撃部材６１の斜視図であり、図７は、打撃部材６１の断面図である。図６及び図７に示すように、打撃部材６１は、先端部４０２と嵌合する嵌合穴６０１を有している。また、打撃部材６１は、内側に突出している係止片６０２をその基端側に有している。この係止片６０２は、前述した先端部４０２に設けられた溝４０３と係止することにより、先端部４０２と打撃部材６１を固着させる。
【００３８】
このように、先端部４０２の基端部に設けられた溝４０３が外周方向に沿って一周しているので、打撃部材６１に設けられた係止片６０２と溝４０３の係止部分がより拡張されることになる。従って、遊技球が発射される方向に打撃部材６１が脱離することをより一層防止することができる。また、先端部４０２は、先端に向かうに従って細くなる形状をしているので、先端に向かうに従って広くなる形状の打撃部材に比べて、打撃部材６１の装着が容易である。従って、打撃部材６１を容易に装着又は交換可能である。
【００３９】
なお、打撃部材６１を形成する打撃部材の材料は、弾性材の中でもブタジエンゴムが好ましい。これは、ブタジエンゴムを材料とする打撃部材６１は、適当な柔軟性を有するため交換が容易であり、長期的な使用にも耐え得る耐摩耗性に優れ、更には、遊技球の飛距離を伸ばすための反弾発製に優れているからである。
【００４０】
このように、耐摩耗性に優れているブタジエンゴムからなる打撃部材６１を備えているので、打撃部材６１を長期的に使用しても摩耗による劣化を防止することができる。従って、打撃部材６１の交換頻度を低くすることができるため、管理者による機器メンテナンスの負担を減少することができる。また、ブタジエンゴムは反発弾性にも優れているため、ブタジエンゴムを打撃部材６１に使用することによって、遊技球の飛距離を一層伸ばすことができる。従って、駆動機構２１の消費電力を一層低減することができる。
【００４１】
なお、本発明においては、ブタジエンゴムばかりでなく、天然ゴム、合成天然ゴム、スチレンブタジエンゴム、ブチルゴム、エチレンプロピレンゴム、クロロプレンゴム、クロロスルフォン化ポリスチレン、二トリルゴム、アクリルゴム、エピクロルヒドリンゴム、ウレタンゴム、多硫化ゴム、シリコーンゴム、フッ素ゴムなどを打撃部材６１の材料とすることもできる。また、これらゴムの１以上を含有するゴム組成物を打撃部材６１の材料としてもよい。
【００４２】
また、本実施形態においては、先端部４０２が、先端に向かうに従って細くなる円錐形状をしているが、本発明においてはこれに限らず、先端部４０２が図８から図１２に示すような形状であってもよい。
【００４３】
図８の斜視図に示される先端部４１２は、球状の構造をしており、先端部４１２の基端側には、先端部４１２の外周方向に沿って一周する溝４１３が設けられている。
【００４４】
図９の斜視図に示される先端部４２２は、球状の構造をしており、先端部４２２の基端側には、先端部４２２の外周方向に沿って一周する溝４２３が設けられている。
【００４５】
図１０の斜視図に示される先端部４３２は、楕円球状の構造をしており、先端部４３２の基端側には、先端部４３２の外周方向に沿って一周する溝４３３が設けられている。
【００４６】
図１１の斜視図に示される先端部４４２は、楕円球状の構造をしており、先端部４４２の基端側には、先端部４４２の外周方向に沿って一周する溝４４３が設けられている。
【００４７】
図１２の斜視図に示される先端部４５２は、円錐形状の構造をしており、先端部４５２の基端側には、先端部４５２の外周方向に沿って一周する溝４５３が設けられている。
【００４８】
また、本実施形態においては、先端部４０２の基端側に設けられている溝４０３は、先端部４０２の外周方向に沿って一周するように設けられているが、本発明においては、これに限らない。例えば、図１３の斜視図に示す先端部４６２のように、打撃部材６１が装着される先端部４６２の基端側に設けられている溝４６３が、先端部４６２の外周方向に沿って一周するように設けられているのではなく、先端部４６２の基端側に、回転方向に交差する方向に沿って設けられていてもよい。
【００４９】
このように、前進方向に交差する方向に沿って、先端部４０２の基端部に溝４０３を設け、更に、この溝４０３に係止する係止片６０２を打撃部材６１に設けたので、遊技球が発射される方向に打撃部材６１が脱離することを防止している。従って、駆動機構２１の駆動中に打撃部材６１が脱離することはなく、実用面においても有効な打撃部材６１を提供することができる。
【００５０】
また、本実施形態においては、先端部４０２は先端に向かうに従って細くなる形状をしているが、本発明はこれに限らない。つまり、先端部が先端に向かうに従って太くなるような形状でもよい。例えば、図１４の斜視図に示すように、先端部４７２が、先端に向かうに従って太くなるような逆円錐形状の構造をしていてもよい。
【００５１】
次に、本実施形態のブタジエンゴムからなる打撃部材６１、または打撃部材６１と同形状でウレタンからなる比較例の打撃部材をハンマ４１の先端部４０２に装着して、遊技球発射装置１０による遊技球飛距離測定を行った。この遊技球飛距離測定は、打撃部材以外は全て同じ条件の遊技球発射装置１０を用いて、ハンマ４１の回転速度（ｐｐｓ）を変化させ、発射された遊技球の飛距離を測定したものである。図１５に遊技球の飛距離測定の結果を示す。
【００５２】
図１５から明らかのように、遊技球の飛距離では本実施形態のブタジエンゴムからなる打撃部材６１を用いた方がウレタンゴムからなる打撃部材を用いた場合よりも勝っている。ブタジエンゴムからなる打撃部材６１は、ウレタンゴムからなる打撃部材と比較して、約３０％飛距離がアップしている。よって、本実施形態のブタジエンゴムからなる打撃部材６１をハンマ４１の先端部４０２に装着した遊技球発射装置１０は、ウレタンゴムからなる打撃部材をハンマ４１の先端部４０２に装着した遊技球発射装置１０よりも飛距離を格段に向上させることができる。また、駆動機構２１としてステッピングモータ２１を採用している場合（図２参照）、ステッピングモータ２１のトルクが小さい場合であっても、ブタジエンゴムからなる打撃部材６１をハンマ４１の先端部４０２に装着した遊技球発射装置１０は、ウレタンゴムからなる打撃部材をハンマ４１の先端部４０２に装着した遊技球発射装置１０よりもステッピングモータ２１の消費電力を低減させることができる。
【００５３】
以上、本発明の実施形態を説明したが、具体例を例示したに過ぎず、特に本発明を限定しない。また、本発明の実施形態に記載された効果は、本発明から生じる最も好適な効果を列挙したに過ぎず、本発明による効果は、本発明の実施形態に記載された効果に限定されない。
【図面の簡単な説明】
【００５４】
【図１】本発明の一実施形態の遊技球発射装置を取り付けた弾球遊技機の正面図である。
【図２】本発明の一実施形態の遊技球発射装置の斜視図である。
【図３】本発明の一実施形態の遊技球発射装置の正面図である。
【図４】本発明の一実施形態の遊技球発射装置のハンマの先端における斜視図である。
【図５】本発明の一実施形態の遊技球発射装置のハンマの先端における側面図である。
【図６】本発明の一実施形態の遊技球発射装置の打撃部材の斜視図である。
【図７】本発明の一実施形態の遊技球発射装置の打撃部材の断面図である。
【図８】本発明の一実施形態の遊技球発射装置のハンマの先端における斜視図である。
【図９】本発明の一実施形態の遊技球発射装置のハンマの先端における斜視図である。
【図１０】本発明の一実施形態の遊技球発射装置のハンマの先端における斜視図である。
【図１１】本発明の一実施形態の遊技球発射装置のハンマの先端における斜視図である。
【図１２】本発明の一実施形態の遊技球発射装置のハンマの先端における斜視図である。
【図１３】本発明の一実施形態の遊技球発射装置のハンマの先端における斜視図である。
【図１４】本発明の一実施形態の遊技球発射装置のハンマの先端における斜視図である。
【図１５】本発明の一実施形態のブタジエンゴムからなる打撃部材、同形状でウレタンからなる比較例の打撃部材をハンマの先端部に装着した場合の遊技球発射装置の飛距離測定の結果を示す図である。
【符号の説明】
【００５５】
１    弾球遊技機
１０    遊技球発射装置
２１    ステッピングモータ
３１    回転軸
４１    ハンマ
６１    打撃部材
４０１    ハンマ本体
４０２，４１２，４２２，４３２，４４２，４５２，４６２，４７２    先端部
４０３，４１３，４２３，４３３，４４３，４５３，４６３，４７３    溝
６０２    係止片
【図１】
2005318942.tif 000003
【図２】
2005318942.tif 000004
【図３】
2005318942.tif 000005
【図４】
2005318942.tif 000006
【図５】
2005318942.tif 000007
【図６】
2005318942.tif 000008
【図７】
2005318942.tif 000009
【図８】
2005318942.tif 000010
【図９】
2005318942.tif 000011
【図１０】
2005318942.tif 000012
【図１１】
2005318942.tif 000013
【図１２】
2005318942.tif 000014
【図１３】
2005318942.tif 000015
【図１４】
2005318942.tif 000016
【図１５】
2005318942.tif 000017